(57)【要約】【課題】ソフトカプセルに容易に孔を開け、内容物を飛散させることなく取り出すことができるソフトカプセル穿孔具を提供する。【解決手段】ソフトカプセル穿孔具１は、平板上の基体１０と、基体の一辺に沿った第一回動軸２１ｓ周りの回動により基体と離隔接近する操作プレート３０（３１，３２）と、操作プレートの基体と対面する面から突出するように設けられた針４１と、基体に穿設され、操作プレートが基体に接近した際に針を挿通させる貫通孔部１５とを具備する。【選択図】図１
0003150311.tif 000002
【実用新案登録請求の範囲】
【請求項１】
平板上の基体と、
該基体の一辺に沿った第一回動軸周りの回動により前記基体と離隔接近する操作プレートと、
該操作プレートの前記基体と対面する面から突出するように設けられた針と、
前記基体に穿設され、前記操作プレートが前記基体に接近した際に前記針を挿通させる貫通孔部と
を具備することを特徴とするソフトカプセル穿孔具。
【請求項２】
前記操作プレートは、一辺が前記第一回動軸に沿っている矩形の第一操作プレートと、
該第一操作プレートの前記一辺と対向する辺に沿った第二回動軸周りの回動により前記第一操作プレート及び前記基体と離隔接近すると共に、前記第一回動軸周りの前記第一操作プレートの回動に伴って前記基体と離隔接近する第二操作プレートを備え、
前記針は、前記第二操作プレートの前記基体と対面する面に設けられており、
前記貫通孔部は、前記第一操作プレート及び前記第二操作プレートが前記基体に対して重畳するように接近した際に前記針を挿通させる位置で前記基体に穿設されている
ことを特徴とする請求項１に記載のソフトカプセル穿孔具。
【請求項３】
前記第二操作プレートは屈曲または湾曲しており、前記第二回動軸周りの回動により前記基体と当接可能な当接端線から、前記基体に対して徐々に離隔するように延設された操作つまみ部を備えることを特徴とする請求項２に記載のソフトカプセル穿孔具。
【請求項４】
前記第一操作プレートまたは前記第二操作プレートにおいて前記第二回動軸と直交する一対の辺には、それぞれの辺に沿って回動自在な一対のフラップが設けられていることを特徴とする請求項２または請求項３に記載のソフトカプセル穿孔具。
【請求項５】
前記基体の前記操作プレートと対面する面には、前記貫通孔部の周縁に凹部が形成されており、
前記操作プレートの前記基体と対面する面には、前記操作プレートが前記基体に接近した際に前記凹部内に突出する突部が形成されている
ことを特徴とする請求項１乃至請求項４の何れか一つに記載のソフトカプセル穿孔具。
【考案の詳細な説明】
【技術分野】
【０００１】
本考案は、ソフトカプセルに孔を開け内容物を取り出すために用いられるソフトカプセル穿孔具に関するものである。
【背景技術】
【０００２】
液状やペースト状の内容物がゼラチン等の皮膜で被包成型されたソフトカプセルは、一般的にはカプセルごと内服するものであるが、カプセルから内容物を取り出して使用することがある。例えば、内容物の医薬品や栄養補助食品を、餌に混ぜてペットに与えたい場合や、海外輸入品など日本人にとっては飲み込みにくい大きさのソフトカプセルに封入されている内容物を、服用したい場合などである。このような場合、従来では、ソフトカプセルを指先で押し潰し、カプセルを破裂させることで内容物を取り出していた。
【０００３】
また、ソフトカプセルには、部分的に細く成型されたネック部を有するタイプもある。これは、ネック部を指先でねじ切って内容物を取り出して使用するものであり、一回量の内容物を使用時に新鮮な状態で取り出すことができ、主に化粧品の容器として用いられている。
【考案の概要】
【考案が解決しようとする課題】
【０００４】
しかしながら、ソフトカプセルを指先で押し潰して内容物を取り出す場合は、カプセル皮膜のどこが破裂するかの予測が困難であるため、思わぬ方向に内容物が飛散し、周囲や衣服を汚したり、内容物を無駄にしてしまったりすることがあった。また、ソフトカプセルは、球型、オーバル型など丸みを帯びた形状のものが多いため、指先でつまんだ状態で力を加えることは容易ではなかった。
【０００５】
一方、ねじ切り型のソフトカプセルでは、内容物のみを取り出すことを前提としてネック部が形成されているのであるが、カプセル皮膜の有する弾性により、ネック部をねじったときに作用する復元力が比較的大きい。そのため、高齢者など指先に力が入りにくい人にとっては、ネック部をねじ切ることは困難であった。また、ねじ切り型のソフトカプセルは、球型やオーバル型などに比べて形状が複雑であるため、製造コストが割高となるという問題もあった。
【０００６】
そこで、本考案は、ソフトカプセルに容易に孔を開け、内容物を飛散させることなく取り出すことができるソフトカプセル穿孔具の提供を、課題とするものである。
【課題を解決するための手段】
【０００７】
上記の課題を解決するため、本考案にかかるソフトカプセル穿孔具は、「平板上の基体と、該基体の一辺に沿った第一回動軸周りの回動により前記基体と離隔接近する操作プレートと、該操作プレートの前記基体と対面する面から突出するように設けられた針と、前記基体に穿設され、前記操作プレートが前記基体に接近した際に前記針を挿通させる貫通孔部とを」具備している。
【０００８】
「基体」及び「操作プレート」は、金属や樹脂により形成することができる。なお、基体の材質と操作プレートの材質とは同じであっても異なっていても良い。
【０００９】
「第一回動軸」は、基体と操作プレートとを蝶番で接続した場合のように軸部材が実在する場合はその軸心であるが、基体と操作プレートとを可撓性のシートで接続した場合のように軸部材は実在せず仮想の軸であっても良い。なお、このことは後述の第二回動軸についても同様である。
【００１０】
上記構成により、針の設けられている位置で、基体及び操作プレートによってソフトカプセルを挟持することにより、ソフトカプセルに孔を開けることができ、更に、第一回動軸周りの回動によって基体と操作プレートとを接近させることにより、ソフトカプセルを押圧し、ソフトカプセルに開けられた孔から内容物を押し出すことができる。そして、基体には、操作プレートが接近した状態で針を挿通させる位置に貫通孔部が設けられているため、カプセルから漏出した内容物は上記押圧に伴って飛散することなく貫通孔部を介して流下する。従って、本考案によれば、ソフトカプセルに容易に孔を開け、内容物を飛散させることなく取り出すことができる。
【００１１】
加えて、本考案では、ソフトカプセルに孔を開けるために針を挿通させる孔部が、内容物を外部に流下させる孔部を兼ねているため、カプセル穿孔具が極めて簡易な構成となり、容易かつ低廉に製造することができる。
【００１２】
本考案にかかるソフトカプセル穿孔具は、「前記操作プレートは、一辺が前記第一回動軸に沿っている矩形の第一操作プレートと、該第一操作プレートの前記一辺と対向する辺に沿った第二回動軸周りの回動により前記第一操作プレート及び前記基体と離隔接近すると共に、前記第一回動軸周りの前記第一操作プレートの回動に伴って前記基体と離隔接近する第二操作プレートを備え、前記針は、前記第二操作プレートの前記基体と対面する面に設けられており、前記貫通孔部は、前記第一操作プレート及び前記第二操作プレートが前記基体に対して重畳するように接近した際に前記針を挿通させる位置で前記基体に穿設されている」ものとすることができる。
【００１３】
上記構成により、第一回動軸周りに第一操作プレートを基体から離隔する方向に回動させ、第二回動軸周りに第二操作プレートを基体に接近する方向に回動させることにより、基体、第一操作プレート、及び、第二操作プレートを三角筒状にすることができる。そして、第二操作プレートに設けられた針は、この三角筒の内部空間に向かって突出することとなる。
【００１４】
そのため、この三角筒の内部空間内にソフトカプセルを置き、第二操作プレートを第一操作プレートに近づけるように操作することにより、ソフトカプセルは針を有する第二操作プレートによって、基体と第一操作プレートとの境界の角部に押し付けられるため、ソフトカプセルの転がりを防止して、確実に針で孔を開けることができる。
【００１５】
そして、ソフトカプセルに針が刺さっている状態で、第一操作プレート及び第二操作プレートが共に基体に接近するように回動させることにより、ソフトカプセルは基体に貫通孔部が設けられている付近で、第二操作プレートと基体とによって押圧される。このとき、第一操作プレート及び第二操作プレートは、基体と重畳するように平坦に近い状態となっているため、基体との間でソフトカプセルを押圧し易い。
【００１６】
従って、本考案によれば、回動軸を二つ設け、互いに異なる方向にも回動可能な二つのプレートによって操作プレートを構成したことにより、ソフトカプセルの孔開けとソフトカプセルの押圧による内容物の押し出しとを、異なる位置で行うことができる。すなわち、カプセルの転がりが防止し易い位置で孔開けを行い、ソフトカプセルを押圧し易い位置で内容物の押し出しを行うことができる。
【００１７】
本考案にかかるソフトカプセル穿孔具は、「前記第二操作プレートは屈曲または湾曲しており、前記第二回動軸周りの回動により前記基体と当接可能な当接端線から、前記基体に対して徐々に離隔するように延設された操作つまみ部を備える」ものとすることができる。
【００１８】
上記構成により、操作つまみ部を指でつまみ、当接端線を基体に当接させた状態で基体上を摺動させるという簡易な操作により、第一操作プレート及び第二操作プレートを第一回動軸及び第二回動軸周りに回動させ、上記の三角筒を容易に形成させることができる。また、操作つまみ部を備えることにより、第二操作プレートを基体に対して押圧してソフトカプセルから内容物を押し出す操作も行い易い。
【００１９】
本考案にかかるソフトカプセル穿孔具は、「前記第一操作プレートまたは前記第二操作プレートにおいて前記第二回動軸と直交する一対の辺には、それぞれの辺に沿って回動自在な一対のフラップが設けられている」ものとすることができる。
【００２０】
上記構成により、上記の三角筒の内部空間にソフトカプセルを収容している状態で、一対のフラップで三角筒の両側の開端を被覆しておくことができる。これにより、ソフトカプセルが外部に転がり出ることを、より有効に防止することができる。また、フラップは、第一操作プレートまたは第二操作プレートの辺に沿って回動自在であるため、第一操作プレー及び第二操作プレートを基体と重畳させるように平坦な状態とする際にも、邪魔になることがない。
【００２１】
本考案にかかるソフトカプセル穿孔具は、「前記基体の前記操作プレートと対面する面には、前記貫通孔部の周縁に凹部が形成されており、前記操作プレートの前記基体と対面する面には、前記操作プレートが前記基体に接近した際に前記凹部内に突出する突部が形成されている」ものとすることができる。
【００２２】
上記構成により、貫通孔部の設けられた位置でソフトカプセルを押圧する際、カプセルが凹部内に保持されて移動し難い。これにより、ソフトカプセルの転がりを防止して確実に押圧することができる。また、操作プレートの基体と対面する面が平面である場合には、操作プレートが基体に重畳するまで接近させたとしても、操作プレートと凹部との間に空隙が形成され、その空隙内ではソフトカプセルを押圧することができない。これに対し、本発明では凹部と対応する位置に突部が形成されているため、ソフトカプセルを十分に押圧して内容物をほぼ完全に押し出すことができる。なお、「凹部」の形状は、断面を円弧状（円または楕円における円弧状）とすれば、ソフトカプセルの形状に沿い易く好適であり、「突部」の形状も凹部に沿う断面円弧状とすれば、凹部と突部との間に空隙ができず好適である。
【考案の効果】
【００２３】
以上のように、本考案によれば、ソフトカプセルに容易に孔を開け、内容物を飛散させることなく取り出すことができるソフトカプセル穿孔具を、提供することができる。
【図面の簡単な説明】
【００２４】
【図１】本考案の第一実施形態のソフトカプセル穿孔具の側面図である。
【図２】図１のソフトカプセル穿孔具の斜視図である。
【図３】図１のソフトカプセル穿孔具の操作を説明する説明図である。
【図４】図３に引き続き、図１のソフトカプセル穿孔具の操作を説明する説明図である。
【図５】図１のソフトカプセル穿孔具にフラップを付加した場合の展開図である。
【図６】図５のソフトカプセル穿孔具の側面図である。
【図７】本考案の第二実施形態のソフトカプセル穿孔具の側面図である。
【考案を実施するための形態】
【００２５】
以下、本考案の第一実施形態であるソフトカプセル穿孔具について、図１乃至図４に基づいて説明する。第一実施形態のソフトカプセル穿孔具１は、平板上の基体１０と、基体１０の一辺に沿った第一回動軸２１ｓ周りの回動により基体１０と離隔接近する操作プレート３０と、操作プレート３０の基体１０と対面する面から突出するように設けられた針４１と、基体１０に穿設され操作プレート３０が基体１０に接近した際に針４１を挿通させる貫通孔部１５とを具備している。また、本実施形態のソフトカプセル穿孔具１では、操作プレート３０は、一辺が第一回動軸２１ｓに沿っている矩形の第一操作プレート３１と、第一操作プレート３１の前記一辺と対向する辺に沿った第二回動軸２２ｓ周りの回動により第一操作プレート３１及び基体１０と離隔接近すると共に、第一回動軸２１ｓ周りの第一操作プレート３１の回動に伴って基体１０と離隔接近する第二操作プレート３２とを備えている。また、針４１は第二操作プレート３２の基体１０と対面する面に設けられており、貫通孔部１５は第一操作プレート３１及び第二操作プレート３２が基体１０に対して重畳するように接近した際に針４１を挿通させる位置で基体１０に穿設されている。
【００２６】
より詳細に説明すると、基体１０と第一操作プレート３１とは平蝶番２０ａで接続されており、第一操作プレート３１と第二操作プレート３２も平蝶番２０ｂで接続されている。従って、平蝶番２０ａの軸部２１の軸心及び平蝶番２０ｂの軸部２２の軸心が、それぞれ第一回動軸２１ｓ及び第二回動軸２２ｓに相当する。なお、基体１０は、第一操作プレート３１及び第二操作プレート３２より厚みのある長方形の平板状であり、平蝶番２０ａの一方の蝶番片は基体１０の端部に嵌め込まれている。
【００２７】
第一操作プレート３１は、幅（第一回動軸２１ｓ及び第二回動軸２２ｓに直交する一対の辺の間の距離）は基体１０とほぼ同一で、長さは基体１０より短い平板状である。また、第二操作プレート３２は屈曲しており、第二回動軸２２ｓ周りの回動により基体１０と当接可能な当接端線３５から、基体１０に対して徐々に離隔するように延設された操作つまみ部３７を備えている。具体的には、第二操作プレート３２の幅は第一操作プレート３１とほぼ同一で、断面略「く」字状に屈曲している。従って、屈曲部が当接端線３５を構成し、当接端線３５から第二回動軸２２ｓとは反対方向に延設された部分が操作つまみ部３７となっている。
【００２８】
なお、第一操作プレート３１の長さを、穿孔対象とするソフトカプセルの直径（オーバル型の場合は短径）の１．５〜４倍とし、第二操作プレート３２において第二回動軸２２ｓ側の辺と当接端線３５との間の距離を、第一操作プレート３１の長さの１〜２倍とすれば、上記の三角筒の内部空間でソフトカプセルを安定して保持し易く、好適である。
【００２９】
針４１は、第二操作プレート３２において、第二回動軸２２ｓ側の辺から当接端線３５に至る部分のほぼ中央に設けられており、不使用時はキャップ４４がはめられている。このキャップ４４は、例えばシリコンゴム製とすれば、その弾性により針先から外れ難く好適である。また、キャップ４４は、針先から外した後に見失われることを防止するために、紐やチェーン等でソフトカプセル穿孔具１に取り付けておくこともできる。
【００３０】
基体１０の上面（操作プレート３１，３２と対面する面）には、貫通孔部１５の周縁に断面円弧状の凹部１１が、貫通孔部１５と同心に形成されており、第二操作プレート３２の基体１０と対面する面には、第二操作プレート３２が基体１０に接近した際に凹部１１内に嵌まり込む断面円弧状の突部３６が形成されている。また、本実施形態では、基体１０の上面において、第一回動軸２１ｓ側の端部近傍にも断面円弧状の凹部１２が形成されている。
【００３１】
以下、上記構成のソフトカプセル穿孔具１の使用方法（操作方法）について、図３及び図４を用いて説明する。まず、図３（ａ）に示すように、操作つまみ部３７を持ち上げて、第一操作プレート３１及び第二操作プレート３２と基体１０との間をあけ、凹部１２にソフトカプセルＣｐを置く。このときは、針４１にキャップ４４を留め付けたままにしておけば、誤って針先で指を刺すことがなく望ましい。
【００３２】
次に、図３（ｂ）に示すように、第一操作プレート３１及び第二操作プレート３２をそれぞれ基体１０に接近するように回動させ、当接端線３５を第一回動軸２１ｓより離れた位置で基体１０の上面に当接させる。これにより、基体１０、第一操作プレート３１、及び、第二操作プレート３２が三角筒状となり、その内部空間にソフトカプセルＣｐが収容される。
【００３３】
当接端線３５を基体１０に当接させた状態で、図３（ｃ）に示すように、当接端線３５を第一回動軸２１ｓに近づけるようにを基体１０の上面で第二操作プレート３２を摺動させる。これにより、針４１がソフトカプセルＣｐに突き刺さり、更に第二操作プレート３２を摺動させることにより、当接端線３５の摺動に伴ってソフトカプセルＣｐは凹部１２上で回転すると共に、より深く針４１が挿入される。このとき、図４（ａ）に示すように、ソフトカプセルＣｐには、針４１を備えた第二操作プレート３２によって、立設した第一操作プレート３１と基体１０との間の角部に向かって押し込まれるような力が作用するため、ソフトカプセルＣｐが転がりにくく針４１がしっかりと挿入される。
【００３４】
次に、操作つまみ部３７を第一回動軸２１ｓから離れるように操作し、針４１が刺さっている状態のソフトカプセルＣｐを凹部１１上に位置させる。この状態で操作つまみ部３７を第一回動軸２１ｓ側に押しつけるように操作すると、第二操作プレート３２が上方向に回動すると共に第一操作プレート３１が下方向に回動し、第一操作プレート３１及び第二操作プレート３２全体が平坦に近づいて基体１０と重畳するように接近する。これにより、図４（ｂ）及び図４（ｃ）に示すように、針４１が貫通孔部１５内に深く挿入されてソフトカプセルＣｐを貫通し、凹部１１に保持されたソフトカプセルＣｐが突部３６によって押圧されて内容物が押し出される。そして、押し出された内容物は、貫通孔部１５を介して流下するため、これを容器等で受けることにより、飛散による損失なく内容物を取り出すことができる。
【００３５】
以上のように、本実施形態のソフトカプセル穿孔具１によれば、第一操作プレート３１及び第二操作プレート３２という二つのプレートで構成される操作プレート３０が、二つの回動軸２１ｓ，２２ｓ周りに回動する構成を採用したことにより、ソフトカプセルＣｐの転がりを防止し易い位置で孔開けを行い、ソフトカプセルＣｐを押圧し易い位置で内容物の押し出しを行うことができるため、容易な操作で、飛散させることなく内容物を取り出すことができる。
【００３６】
また、本実施形態では、第二操作プレート３２が略「く」字状に形成されて操作つまみ部３７が設けられているため、当接端線３５の摺動により三角筒を容易に形成し、三角筒の内部でソフトカプセルＣｐに容易かつ確実に孔を開けられると共に、ソフトカプセルＣｐを基体１０に向かって第二操作プレート３２で押圧する操作が行い易いものとなっている。
【００３７】
加えて、本実施形態では、基体１０に凹部１１及び凹部１２が設けられているため、球状やオーバル型など丸みを帯びた形状のものが多いソフトカプセルの転がりを有効に防止して、孔開け及び内容物の押し出しを行うことができる。加えて、操作プレート３２には凹部１１と対応する位置に、凹部１１に嵌まり込む形状の突部３６が形成されているため、第二操作プレート３２を基体１０に重畳するように接近させた場合であっても第二操作プレート３２と凹部１１との間に空隙ができず、ソフトカプセルを十分に押圧して内容物をほぼ完全に押し出すことができる。
【００３８】
第一実施形態のソフトカプセル穿孔具１は、更に一対のフラップ３９が付加された構成のソフトカプセル穿孔具１ｂとすることができる。この一対のフラップ３９は、図５に示すように、第一操作プレート３１において第二回動軸２２ｓと直交する一対の辺に、それぞれの辺に沿って回動自在に設けられている。ここでは、図６に示すように、それぞれのフラップ３９を、第一操作プレート３１が基体１０に対してほぼ直角をなすように立設した状態で、三角筒の開端を被覆できる三角形に形成した場合を例示している。また、このようなフラップ３９は、例えば、樹脂性の板材で形成し、可撓性の樹脂シート（図示しない）を介して第一操作プレート３１と接合することにより、第一操作プレート３１の辺に沿った回動軸周りに回動自在な構成とすることができる。
【００３９】
なお、説明の便宜上、図５では展開図を示しているが、実際のソフトカプセル穿孔具が平面状に展開できることまでを要件とするものではなく、上述の動作を妨げない限度で、第一回動軸２１ｓ及び第二回動軸２２ｓ周りの回動角度が規制されているものとすることもできる。また、フラップ３９は、第一操作プレート３１に取り付けられる場合に限定されず、第二操作プレート３２において第二回動軸２２ｓと直交する一対の辺に沿って、第二回動軸２２ｓ側の端部から当接端線３５に至るまでの間に取り付けられる構成としても、同様に三角筒の開端を覆うことができる。なお、図５及び図６では、ソフトカプセル穿孔具１と同様の構成については同一の符号を付している。
【００４０】
次に、本考案の第二実施形態であるソフトカプセル穿孔具２について、図７に基づいて説明する。なお、第一実施形態と同様の構成については同一の符号を付し、詳細な説明は省略する。
【００４１】
第二実施形態のソフトカプセル穿孔具２は、平板上の基体１０と、基体１０の一辺に沿った第一回動軸６１ｓ周りの回動により基体１０と離隔接近する操作プレート５０と、操作プレート５０の基体１０と対面する面から突出するように設けられた針５１と、基体１０に穿設され、操作プレート５０が基体１０に接近した際に針５１を挿通させる貫通孔部１５とを具備している。
【００４２】
より詳細に説明すると、基体１０と操作プレート５０とは平蝶番６０で接続されており、平蝶番６０の軸部６１の軸心が第一回動軸６１ｓに相当する。また、基体１０において貫通孔部１５の周縁には断面円弧状の凹部１１が貫通孔部１５と同心に形成されており、操作プレート５０の基体１０と対面する面には、操作プレート５０が基体１０に接近した際に凹部１１内に嵌まり込む断面円弧状の突部５２が形成されている。
【００４３】
操作プレート５０には貫通する小孔５６が穿設されており、取付板５７に保持された針５１を小孔５６に挿通した上で、締結部材５８によって取付板５７が操作プレート５０に留め付けられている。更に、基体１０及び操作プレート５０のそれぞれ対面する面の軸部６１近傍には、平蝶番６０の一対の蝶番片をそれぞれ基体１０と操作プレート５０に留め付ける螺子部材５５の頭部が突出している。そのため、ソフトカプセル穿孔具２の不使用時には、一対の螺子部材５５の頭部同士の干渉によって、基体１０と操作プレート５０とは所定角度開いた状態で保持されている。そして、針５１は、この状態で貫通孔１５内に到達する長さに設定されることにより、ソフトカプセル穿孔具２の不使用時に針５１の先端が露呈することが防止されている。
【００４４】
ソフトカプセル穿孔具２を用いてソフトカプセルに孔を開ける際は、凹部１１にソフトカプセルを置き、操作プレート５０を基体１０に向かって押し下げる。或いは、操作プレート５０及び基体１０それぞれの平蝶番６０とは反対側の端部を把持し、両者を近付けるように操作しても良い。このとき、一対の螺子部材５５の頭部同士の干渉によって操作プレート５０と基体１０との接近を妨げるような力が作用するため、この力に抗して、一対の蝶番片及び基体１０と操作プレート５０の弾性を利用して基体１０と操作プレート５０とを近付けることにより、ソフトカプセルに押圧力を加え易い。これにより、針５１でソフトカプセルを貫通して孔を開け、突部５２と凹部１１との間でソフトカプセルを十分に押圧し、ソフトカプセルに開けられた孔から内容物を押し出して、貫通孔部１５を介して外部に取り出すことができる。
【００４５】
上記のように、第二実施形態によれば、極めて簡易な構成のソフトカプセル穿孔具２で容易にソフトカプセルに孔を開け、内容物を飛散させることなく取り出すことができる。また、針５１は取付板５７を介して締結部材５８によって操作プレート５０に留め付けられており、締結部材５８を外せば取付板５７と共に針５１を容易に操作プレート５０から取り外すことができる。これにより、針５１がソフトカプセルの内容物によって汚れた場合に、操作プレート５０から容易に取り外して洗浄し、或いは、新しい針に交換することができる。
【００４６】
以上、本考案について好適な実施形態を挙げて説明したが、本考案は上記の実施形態に限定されるものではなく、以下に示すように、本考案の要旨を逸脱しない範囲において、種々の改良及び設計の変更が可能である。
【００４７】
例えば、第一実施形態では、基体１０及び第一操作プレート３１と、第一操作プレート３１及び第二操作プレート３２とがそれぞれ蝶番で接続されており、第二実施形態では基体１０及び操作プレート５０が蝶番６０で接続されることにより回動可能な構成とされている場合を例示したが、これに限定されるものではなく、蝶番の代わりにカンバス地や可撓性の樹脂シートなど、折り畳み自在なシート材料で接続することによっても、回動可能な構成とすることができる。
【符号の説明】
【００４８】
１，１ｂ，２  ソフトカプセル穿孔具
１０  基体
１１  凹部
１５  貫通孔部
２１ｓ，６１ｓ  第一回動軸
２２ｓ  第二回動軸
３１  第一操作プレート（操作プレート）
３２  第二操作プレート（操作プレート）
３５  当接端線
３６，５２  突部
３７  操作つまみ部
３９  フラップ
４１，５１  針
５０  操作プレート
【図１】
0003150311.tif 000003
【図２】
0003150311.tif 000004
【図３】
0003150311.tif 000005
【図４】
0003150311.tif 000006
【図５】
0003150311.tif 000007
【図６】
0003150311.tif 000008
【図７】
0003150311.tif 000009